(57)【要約】【課題】乗り物内の生物兵器、化学兵器を発見し、それを外部に報知する。【解決手段】バス等大衆の移動に供する乗り物において、検知器が生物兵器に用いられる病原体、毒素を、化学兵器に用いられる化学物質を検知し、検知情報送出手段によりその検知情報を外部に自動送出するから、生物兵器によるテロがあったことを知ることができる。複数の検知器は通信手段で通信網を形成して通信に冗長性を持たせるとともに、自己位置検知手段で検知対象の拡散状況がわかる。【選択図】  図1
2005147886.tif 000002
【特許請求の範囲】
【請求項１】
鉄道、バス等大衆の移動に供する乗り物において、生物兵器に用いられる病原体、毒素を検知する検知器を当該乗り物に配置し、前記検知器による検知情報を自動送出する検知情報送出手段とを備えたことを特徴とする兵器検知システム。
【請求項２】
鉄道、バス等大衆の移動に供する乗り物において、化学兵器に含まれる化学物質を検知する検知器を当該乗り物に配置し、前記検知器による検知情報を自動送出する検知情報送出手段とを備えたことを特徴とする兵器検知システム。
【請求項３】
検知器が通信手段を備えたユニットであり、当該ユニットを乗り物内に複数個設置し、当該複数のユニット間で前記通信手段による通信網を形成したことを特徴とする請求項１又は２のいずれかに記載の兵器検知システム。
【請求項４】
検知器が通信手段に加えて自己位置検知手段を備えたユニットであり、当該ユニットを乗り物内に複数個設置し、当該複数のユニット間で前記通信手段による通信網を形成したことを特徴とする請求項１又は２又は３のいずれか１に記載の兵器検知システム。
【請求項５】
検知器が、生物反応性薄膜の重量変化を水晶振動子の振動変化で検知するセンサ、もしくは表面弾性波の伝播特性の変化で検知するセンサのいずれかもしくは２以上の組み合わせにより構成したことを特徴とする請求項２又は３又は４のいずれか１に記載の兵器検知システム。
【請求項６】
検知器が、有機薄膜半導体センサもくしは金属酸化物センサもしくは吸着薄膜や化学反応性薄膜の重量変化を水晶振動子の振動変化で検知するセンサ、もしくは表面弾性波の伝播特性の変化で検知するセンサのいずれかもしくは２以上の組み合わせにより構成したことを特徴とする請求項１又は３又は４のいずれか１に記載の兵器検知システム。
【請求項７】
通信手段を備えるユニットがＵＷＢであることを特徴とする請求項３乃至６のいずれか１に記載の兵器検知システム。
【請求項８】
通信手段および自己位置検知手段を備えるユニットがＵＷＢであることを特徴とする請求項４乃至６のいずれか１に記載の兵器検知システム。
【発明の詳細な説明】
【技術分野】
【０００１】
本発明は、生物兵器、化学兵器の影響の拡散を局限に留めるための兵器検知システムに関するものである。
【背景技術】
【０００２】
テロの目的として、生物・化学兵器が公共交通機関内で用いられることが危惧されている。
【発明の開示】
【発明が解決しようとする課題】
【０００３】
本発明が解決しようとする問題点は、乗り物内の生物兵器、化学兵器を発見し、それを外部に報知することである。
【課題を解決するための手段】
【０００４】
上記課題を解決するため請求項１に係る兵器検知システムは、鉄道、バス等大衆の移動に供する乗り物において、生物兵器に用いられる病原体、毒素を検知する検知器を当該乗り物に配置し、前記検知器による検知情報を自動送出する検知情報送出手段とを備えたことを特徴とするものである。
【０００５】
請求項２に係る兵器検知システムは、鉄道、バス等大衆の移動に供する乗り物において、化学兵器に含まれる化学物質を検知する検知器を当該乗り物に配置し、前記検知器による検知情報を自動送出する検知情報送出手段とを備えたことを特徴とするものである。
【０００６】
請求項３に係る兵器検知システムは、前記請求項１又は２のいずれかにおいて、検知器が通信手段を備えたユニットであり、当該ユニットを乗り物内に複数個設置し、当該複数のユニット間で前記通信手段による通信網を形成したことを特徴とするものである。
【０００７】
請求項４に係る兵器検知システムは、前記請求項１又は２又は３のいずれかにおいて、検知器が通信手段に加えて自己位置情報を備えたユニットであり、当該ユニットを乗り物内に複数個設置し、当該複数のユニット間で前記通信手段による通信網を形成したことを特徴とするものである。
【０００８】
請求項５に係る兵器検知システムは、
前記請求項２又は３又は４のいずれかにおいて、検知器が、生物反応性薄膜の重量変化を水晶振動子の振動変化で検知するセンサ、もしくは表面弾性波の伝播特性の変化で検知するセンサのいずれかもしくは２以上の組み合わせにより構成したことを特徴とするものである。
【０００９】
請求項６に係る兵器検知システムは、
前記請求項１又は３又は４のいずれかにおいて、検知器が、有機薄膜半導体センサもくしは金属酸化物センサもしくは吸着薄膜や化学反応性薄膜の重量変化を水晶振動子の振動変化で検知するセンサ、もしくは表面弾性波の伝播特性の変化で検知するセンサのいずれかもしくは２以上の組み合わせにより構成したことを特徴とするものである。
【００１０】
請求項７に係る兵器検知システムは、前記請求項３乃至６のいずれかにおいて、通信手段を備えるユニットがＵＷＢであることを特徴とするものである。
【００１１】
請求項８に係る兵器検知システムは、前記請求項４乃至６のいずれかにおいて、通信手段および自己位置検知手段を備えるユニットがＵＷＢであることを特徴とするものである。
【発明の効果】
【００１２】
請求項１に係る兵器検知システムは、バス等大衆の移動に供する乗り物において、検知器が生物兵器に用いられる病原体、毒素を検知し、検知情報送出手段によりその検知情報を外部に自動送出するから、生物兵器によるテロがあったことを知ることができる。
【００１３】
請求項２に係る兵器検知システムは、バス等大衆の移動に供する乗り物において、検知器が化学兵器に含まれる化学物質を検知し、検知情報送出手段によりその検知情報を外部に自動送出するから、化学兵器によるテロがあったことを知ることができる。
【００１４】
請求項３に係る兵器検知システムは、検知器が通信手段を持たせたユニットとし、その複数のユニット間で通信手段による通信網を形成することにより、通信に冗長性を持たせ、検知情報の通信遮断を避けることができる。
【００１５】
請求項４に係る兵器検知システムは、検知器が通信手段に加えて自己位置検知手段を備えたユニットととし、その複数のユニット間で通信手段による通信網を形成することにより、個々のセンサの位置情報に基づき、化学兵器又は生物兵器から拡散する検知対象の乗り物内の拡散状況がわかる。
【００１６】
請求項５に係る兵器検知システムは、検知器が、有機薄膜半導体センサもくしは金属酸化物センサもしくは吸着薄膜や化学反応性薄膜の重量変化を水晶振動子の振動変化で検知するセンサ、もしくは表面弾性波の伝播特性の変化で検知するセンサのいずれかもしくは２以上の組み合わせにより、容易に構成することができる。
【００１７】
請求項６に係る兵器検知システムは、検知器が、生物反応性薄膜の重量変化を水晶振動子の振動変化で検知するセンサ、もしくは表面弾性波の伝播特性の変化で検知するセンサのいずれかもしくは２以上の組み合わせにより、容易に構成することができる。
【００１８】
請求項７に係る兵器検知システムは、通信手段を備えるユニットがＵＷＢで構成され、高速通信を消費電力が少なく実現できる。
【００１９】
請求項８に係る兵器検知システムは、通信手段および自己位置検知手段を備えるユニットがＵＷＢで構成され、高速通信を消費電力が少なく実現できる。
【実施例１】
【００２０】
図１は、本発明を説明する構成図であり、１０１は鉄道、バス等大衆の移動に供する乗り物、１０２ａは生物兵器用の検知器、１０２ｂは化学兵器用の検知器、１０３ａ，…１０３ｂ…は検知情報送出手段、１０４は中央指令部門である。１０５ａ，…１０５ｂ…は検知器間で通信を行う通信手段であり後述するように自己位置検知手段の機能も構成する。１０６ａ，…１０６ｂ…は乗り物１０１に配置された検知器１０２ａ及び１０２ｂに設けたその地球上の位置を計測するためのＧＰＳ、１０７ａ，…１０７ｂ…は各検知器１０２ａ，１０２ｂが備える自己位置情報を記録する自己位置情報部である。
【００２１】
検知器１０２ａは、病原体、毒素等を検知することにより生物兵器を検知するものであり、例えば、生物反応性薄膜の重量変化を水晶振動子の振動変化で検知するセンサ、もしくは表面弾性波の伝播特性の変化で検知するセンサのいずれかもしくは２以上の組み合わせにより構成して、乗り物１０１内の適当箇所に設置する。
検知器１０２ｂは、化学兵器に含まれる化学物質を検知するものであり、例えば、有機薄膜半導体センサもくしは金属酸化物センサもしくは吸着薄膜や化学反応性薄膜の重量変化を水晶振動子の振動変化で検知するセンサ、もしくは表面弾性波の伝播特性の変化で検知するセンサのいずれかもしくは２以上の組み合わせにより構成して、乗り物１０１内の適当箇所に設置する。
各検知器１０２には他の検知器と区別するために識別番号が付され、これは中央指令部門１０４で登録され、識別番号によりその検知器が何れの乗り物に設置されているかがわかるようになっている。
検知情報送出手段１０３は各検知器１０２と無線接続されている。検知情報送出手段１０３は、無線通信機器により構成され、検知器１０２ａ，１０２ｂが検知した検知情報を乗り物１０１から外部の中央指令部門１０４に送出する。
各検知器１０２ａ，１０２ｂには通信手段１０５としてＵＷＢ（Ｕｌｔｒａ  Ｗｉｄｅｂａｎｄ）のユニットを備え、各ＵＷＢユニット間で通信網を形成し、（検知情報の送受、）自己位置の送受の通信を行う。
ＧＰＳ（Ｇｌｏｂａｌ  Ｐｏｓｉｔｉｏｎｉｎｇ  Ｓｙｓｔｅｍ）１０６は、ｃｍ単位での精度で位置測定を行うために１つもしくは複数の基準局（図示しない）による誤差情報を用いた、高精度ＧＰＳを用い、前記通信手段１０５としてのＵＷＢに組み込む。
【００２２】
乗り物１０１内に配置する検知器１０２が複数ある場合、検知器に備えた通信手段１０５の自己位置検知手段により自己位置を測定する。すなわち、通信手段１０５であるＵＷＢの信号は、１ｎｓ以下の非常に時間幅の短いパルスを用いて通信を行う。このパルスを送るタイミングに情報を乗せて通信する。各検知器１０２の各ＵＷＢは自己の識別信号と発信時刻とを乗せて発信する。各ＵＷＢは、他のＵＷＢからの識別信号と発信時刻とを、送信ＵＷＢ−受信ＵＷＢ間の距離に応じた時刻で、受信する。各ＵＷＢは、他のＵＷＢから送られ受信した当該識別信号と発信時刻と受信時刻のデータ分析して相対的位置関係を把握する。ＵＷＢを用いることにより各検知器１０２同士の相対位置を数ｃｍ単位で把握することにより自己位置を得て、これを自己位置情報として自己位置情報部１０７に記録しておくとともに、中央指令部門１０４に送信し、記録させておく。
検知器１０２の少なくともいずれか１つがＧＰＳ１０６を備えるときは、地球上の位置を測定して、この位置データを中央指令部門１０４に送信することにより、乗り物１０１がどこにいるかを追跡することができ、検知１０２の位置を追跡することができる。
【００２３】
生物兵器又は化学兵器が積まれた乗り物１０１が、運行中に、病原体又は毒素又は化学物質が車内に拡散すると、検知器１０２ａが生物兵器、検知器１０２ｂが化学兵器を検知して、検知情報を出力する。検知情報は、検知した検知器の識別信号、検知量の度合いである。この検知情報は、検知情報送出手段１０３から中央指令部門１０４に送出される。中央指令部門１０４は検知情報を受けたことにより、生物兵器又は化学兵器からの検知対象が検知されたことを知り、識別番号から何れの乗り物のどの場所からのものかを知り、検知量の度合いで検知対象の検知量を知ることができる。
このとき、検知器１０２が複数あるときは、生物兵器又は化学兵器に近い検知器１０２が検知することとなる。病原体又は毒素又は化学物質の拡散が進むと、生物兵器又は化学兵器に近いものから順に検知することとなる。検知器１０２が検知した順に検知情報を送ると、通信手段１０５ａ，１０５ｂであるＵＷＢの自己位置検知手段により検知器１０２間の位置関係が知られているから中央指令部門１０４は識別番号からどのような分布で拡散しているかを知ることができ、対策に役立たせることができる。
【図面の簡単な説明】
【００２４】
【図１】兵器検知システムの構成図である。
【符号の説明】
【００２５】
１０１…乗り物、１０２ａ…検知器、１０２ｂ…検知器、１０３…検知情報送出手段、１０４…中央指令部門、１０５ａ，１０５ｂ…通信手段、１０６ａ，１０６ｂ…ＧＰＳ、１０７ａ，１０７ｂ…自己位置情報部。
【図１】
2005147886.tif 000003